(57)【要約】【課題】様々なメーカー及び機種のミシンによりテープ状の被縫製物を所定の折曲げ形状に縫製する作業に用いることができる被縫製物折曲げガイドを提供する。【解決手段】家庭用ミシンＡの押え棒Ａａ下端に固定した被縫製物折曲げガイド１の支持部３及び折曲げ部４を家庭用ミシンＡの送り方向と直交する左右方向へ水平移動させ、折曲げ部４の針孔４ｂＡをミシン針Ａｂ直下及び針板Ａｃの針孔Ａｄと連通する針落ち位置に可変調節する。テープ状の被縫製物Ｂを折曲げ部４に挿入して所定の折曲げ形状に矯正しながら、家庭用ミシンＡのミシン針Ａｂを被縫製物Ｂの縫着部分に挿通して筒状に縫着する。筒状に縫着された丸紐Ｃを表裏反転しながら送り方向に対して逆向きに繰り出しする。【選択図】図１
2007209389.tif 000002
【特許請求の範囲】
【請求項１】
テープ状の被縫製物を幅方向に折曲げながらミシンの針落ち位置に供給する被縫製物折曲げガイドであって、
上記被縫製物折曲げガイドを、
上記ミシンの押え棒下端に固定される取付け部と、
上記取付け部の下端部に対して任意方向へ水平移動自在に設けた支持部と、
上記支持部の前端部に上記ミシンの送り方向と平行して固定され、上記被縫製物を幅方向に対して所定の折曲げ形状に矯正する折曲げ部と、
上記折曲げ部に上記被縫製物の縫着部分と対向して設けられ、上記ミシンのミシン針が上下方向に挿通許容される針孔とで構成した
被縫製物折曲げガイド。
【請求項２】
上記折曲げ部を、
上記テープ状の被縫製物を送り方向に対して徐々に幅狭となる状態に矯正し、該被縫製物の両側縁部を互いに重ね合わされる方向に矯正する矯正開始部と、
上記矯正開始部から繰り出される被縫製物を幅方向に対して二つ折り状態に折曲げながら、該被縫製物の両側縁部を送り方向に沿って互いに重ね合わせた状態に矯正する外側矯正部と、
上記被縫製物の送り込みが許容される間隔に隔てて外側矯正部内に設けられ、上記外側矯正部から繰り出される被縫製物を表裏反転して送り方向と逆向きに繰り出しガイドする内側矯正部とで構成した
請求項１に記載の被縫製物折曲げガイド。
【請求項３】
上記矯正開始部の前端部に、上記被縫製物が扁平状態のまま挿入される入口部を設け、上記矯正開始部の後端部に、上記入口部から挿入される被縫製物の両側縁部を送り方向に沿って互いに重ね合わせながら繰り出しする出口部を設けた
請求項２に記載の被縫製物折曲げガイド。
【請求項４】
上記取付け部及び支持部の対接面に、互いに係合する凹部と凸部を上記支持部の移動方向と平行する方向に連続して設けた
請求項１乃至３のいずれか一つに記載の被縫製物折曲げガイド。
【請求項５】
上記取付け部及び支持部のいずれか一方の対接面に、該取付け部及び支持部を固定するネジ部材が挿通許容されるガイド孔を上記ミシンの送り方向と直交する方向に設け、他方の対接面に、上記ネジ部材が螺着されるネジ孔を設けた
請求項１乃至４のいずれか一つに記載の被縫製物折曲げガイド。
【請求項６】
上記取付け部及び支持部の対接部分に、互いに吸着固定されるマグネット手段を設けるとともに、
上記マグネット手段の吸着力を、上記ミシンの送り方向と直交する方向への水平移動調節が許容され、該ミシンの縫製動作時に付与される応力によって吸着位置が変位するのを防止するのに適した吸着力に設定した
請求項１乃至４のいずれか一つに記載の被縫製物折曲げガイド。
【発明の詳細な説明】
【技術分野】
【０００１】
この発明は、例えば家庭用ミシン、その他のミシン等のミシンによりテープ状の被縫製物を、丸紐等の所定の折曲げ形状に縫製する作業に用いられる被縫製物折曲げガイドに関する。
【背景技術】
【０００２】
従来、上述例の丸紐を縫製する方法としては、例えばテープ状紐を針板上に固定した丸紐形成具の丸紐形成管に挿入するとともに、幅方向に折り曲げながらテープ状紐の両側縁部を互いに重ね合わせる。工業用ミシンのミシン針を、丸紐形成管の針貫通孔と対向する針落ち位置に供給されるテープ状紐の両側縁部に挿通して筒状に縫着しながら、筒状の丸紐を裏返して丸紐形成管の前端部から送り方向と逆向きに繰り出しする特許文献１の丸紐縫製用ミシンがある。
【０００３】
【特許文献１】実公平７−１８３７８号公報
【発明の開示】
【発明が解決しようとする課題】
【０００４】
しかし、上記丸紐形成具を針板に固定した場合、丸紐形成具の位置が変位しにくいため、工業用ミシン等の縫製速度が速いミシンで丸紐を縫製する作業には適しているが、工業用ミシンよりも縫製速度が遅い家庭用ミシンで丸紐を縫製する場合、例えばメーカーや機種等によって、家庭用ミシンの針板に設けられた針孔の位置が異なるため、丸紐形成具及び針板を一組とする対の部品を複数種製作しなければならず、部品全体の製作コストが高くなるだけでなく、部品の管理及び取り扱いが大変煩わしい。
【０００５】
この発明は上記問題に鑑み、ミシンの押え棒下端に取り付けた折曲げ部を任意方向へ水平移動させ、該折曲げ部の針孔をミシンの針落ち位置と一致する位置に調節するので、様々なメーカー及び機種のミシンによりテープ状の被縫製物を所定の折曲げ形状に縫製する作業に用いることができる被縫製物折曲げガイドの提供を目的とする。
【課題を解決するための手段】
【０００６】
請求項１に記載した発明の被縫製物折曲げガイドは、テープ状の被縫製物を幅方向に折曲げながらミシンの針落ち位置に供給する被縫製物折曲げガイドであって、上記被縫製物折曲げガイドを、上記ミシンの押え棒下端に固定される取付け部と、上記取付け部の下端部に対して任意方向へ水平移動自在に設けた支持部と、上記支持部の前端部に上記ミシンの送り方向と平行して固定され、上記被縫製物を幅方向に対して所定の折曲げ形状に矯正する折曲げ部と、上記折曲げ部に上記被縫製物の縫着部分と対向して設けられ、上記ミシンのミシン針が上下方向に挿通許容される針孔とで構成したことを特徴とする。
【０００７】
この発明によると、支持部及び折曲げ部の全体を、任意方向(例えばミシンの送り方向と直交する左右方向、送り方向と平行する前後方向、送り方向と交差する水平回転方向等)へ水平移動させ、折曲げ部の針孔を、ミシンのミシン針直下及び針板の針孔と連通する針落ち位置に可変調節する。ミシンによる縫製作業時において、テープ状の被縫製物を折曲げ部により幅方向に対して所定の折曲げ形状に矯正しながら、折曲げ部の針孔と対向する針落ち位置に連続して供給するとともに、ミシンのミシン針を、折曲げ部の針孔に供給される被縫製物の縫着部分に上方から垂直に挿通して、被縫製物の縫着部分を送り方向に沿って連続的に縫着し、例えば丸紐等の縫製品を連続して縫製する。
【０００８】
上記取付け部は、例えばミシンの押え棒と押え金を固定する一般的な固定構造で固定されるが、挟持構造、差込み構造等のその他の固定構造で構成することもできる。また、支持部は、例えば板状、棒状等の支持部材で構成されるが、ミシンの縫製動作時に付与される応力によって、折曲げ部の針孔位置が変位しないような剛性、構造を有する支持部材で構成することもできる。
【０００９】
また、折曲げ部は、例えばテープ状の被縫製物を幅方向に折曲げながら筒状に縫返しする丸紐縫製用の縫返しガイドと、被縫製物の一側縁部を三巻き状態に折曲げ又は巻回する三巻き縫製用の三巻きガイドと、被縫製物の一側縁部を四巻き状態に折曲げ又は巻回する四巻き縫製用の四巻きガイド等の折曲げガイドで構成することができる。
【００１０】
請求項２に記載した発明の被縫製物折曲げガイドは、上記請求項１に記載の構成と併せて、上記折曲げ部を、上記テープ状の被縫製物を送り方向に対して徐々に幅狭となる状態に矯正し、該被縫製物の両側縁部を互いに重ね合わされる方向に矯正する矯正開始部と、上記矯正開始部から繰り出される被縫製物を幅方向に対して二つ折り状態に折曲げながら、該被縫製物の両側縁部を送り方向に沿って互いに重ね合わせた状態に矯正する外側矯正部と、上記被縫製物の送り込みが許容される間隔に隔てて外側矯正部内に設けられ、上記外側矯正部から繰り出される被縫製物を表裏反転して送り方向と逆向きに繰り出しガイドする内側矯正部とで構成したことを特徴とする。
【００１１】
この発明によると、テープ状の被縫製物を、矯正開始部により送り方向に対して徐々に幅狭となる状態に矯正しながら、該被縫製物の両側縁部を送り方向に沿って互いに重ね合わされる方向に折曲げる。矯正開始部から繰り出される被縫製物を外側矯正部と内側矯正部との対向周面間に対して送込み、外側矯正部により被縫製物を幅方向に対して二つ折り状態に折曲げながら、該被縫製物の両側縁部を送り方向に沿って互いに重ね合わせた状態に矯正する。外側矯正部の後端側から繰り出される被縫製物を表裏反転して内側矯正部に挿入し、内側矯正部の前端側から筒状に縫着された丸紐を送り方向と逆向きに繰り出しガイドする。
【００１２】
請求項３に記載した発明の被縫製物折曲げガイドは、上記請求項２に記載の構成と併せて、上記矯正開始部の前端部に、上記被縫製物が扁平状態のまま挿入される入口部を設け、上記矯正開始部の後端部に、上記入口部から挿入される被縫製物の両側縁部を送り方向に沿って互いに重ね合わせながら繰り出しする出口部を設けたことを特徴とする。
【００１３】
この発明によると、テープ状の被縫製物を扁平状態のまま矯正開始部の入口部から挿入し、入口部から出口部に移送する間に、被縫製物を送り方向に対して徐々に幅狭となる状態に矯正しながら、被縫製物の両側縁部を送り方向に沿って
互いに重ね合わされる方向に折曲げ矯正する。出口部から繰り出される被縫製物を折曲げ矯正したまま外側矯正部と内側矯正部との対向面間に対して送り込みガイドする。
【００１４】
請求項４に記載した発明の被縫製物折曲げガイドは、上記請求項１乃至３のいずれか一つに記載の構成と併せて、上記取付け部及び支持部の対接面に、互いに係合する凹部と凸部を上記支持部の移動方向と平行する方向に連続して設けたことを特徴とする。
【００１５】
この発明によると、取付け部及び支持部の相対移動を、凹部と凸部の係合により支持部の移動方向と平行する方向(例えばミシンの送り方向と直交する左右方向、送り方向と平行する前後方向、送り方向と交差する水平回転方向等)のみにガイドし、他の方向及び角度に変位しようとするのを阻止する。
【００１６】
実施例では、凸部を取付け部側に設け、凹部を支持部側に設けているが、凸部を支持部側に設け、凹部を取付け部側に設けてもよい。また、凹部及び凸部の代わりに、例えば突起と溝部、アリとアリ溝等の他の構造を用いてもよい。
【００１７】
請求項５に記載した発明の被縫製物折曲げガイドは、上記請求項１乃至４のいずれか一つに記載の構成と併せて、上記取付け部及び支持部のいずれか一方の対接面に、該取付け部及び支持部を固定するネジ部材が挿通許容されるガイド孔を上記ミシンの送り方向と直交する方向に設け、他方の対接面に、上記ネジ部材が螺着されるネジ孔を設けたことを特徴とする。
【００１８】
この発明によると、ネジ部材による固定を解除するか、締付け力を緩める等して、支持部及び折曲げ部の全体をミシンの送り方向と直交する方向へ水平移動させ、折曲げ部の針孔を、ミシンのミシン針直下及び針板の針孔と連通する針落ち位置に可変調節した後、取付け部と支持部をネジ部材の締付け力により水平移動不可に固定する。
【００１９】
実施例では、ガイド孔を取付け部側に設け、ネジ孔を支持部側に設けているが、ガイド孔を支持部側に設け、ネジ孔を取付け部側に設けてもよい。
【００２０】
請求項６に記載した発明の被縫製物折曲げガイドは、上記請求項１乃至４のいずれか一つに記載の構成と併せて、上記取付け部及び支持部の対接部分に、互いに吸着固定されるマグネット手段を設けるとともに、上記マグネット手段の吸着力を、上記ミシンの送り方向と直交する方向への水平移動調節が許容され、該ミシンの縫製動作時に付与される応力によって吸着位置が変位するのを防止するのに適した吸着力に設定したことを特徴とする。
【００２１】
この発明によると、取付け部及び支持部の対接部分に設けたマグネット手段をミシンの送り方向と直交する方向へ変位させ、支持部及び折曲げ部の全体をミシンの送り方向と直交する方向へ水平移動して、折曲げ部の針孔を、ミシンのミシン針直下及び針板の針孔と連通する針落ち位置に可変調節した後、取付け部と支持部をマグネット手段の吸着力により水平移動不可に固定する。
【００２２】
また、取付け部又は支持部のいずれか一方の対接部分にマグネットを装着し、他方の対接部分にマグネットが吸着固定される金属部材を装着してもよい。
【発明の効果】
【００２３】
この発明によれば、ミシンの押え棒下端に取り付けた折曲げ部を任意方向へ水平移動させ、折曲げ部の針孔を、ミシンのミシン針直下及び針板の針孔と連通する針落ち位置に可変調節するので、一つの被縫製物折曲げガイドを、様々なメーカー及び機種のミシンによりテープ状の被縫製物を所定の折曲げ形状に縫製する作業に用いることができる。また、被縫製物折曲げガイドをミシンに共通して用いることができるので、各ミシン毎に製作する必要がなく、製作コストの低減を図ることができる。且つ、縫製作業に使用する部品数が少なくなり、部品の管理及び取り扱いが容易に行える。
【発明を実施するための最良の形態】
【００２４】
この発明は、様々なメーカーや機種等のミシンによりテープ状の被縫製物を所定の折曲げ形状に縫製することができるという目的を、ミシンの押え棒下端に取り付けた折曲げ部を任意方向へ水平移動させ、該折曲げ部の針孔をミシンの針落ち位置と一致する位置に調節することで達成した。
【実施例】
【００２５】
この発明の一実施例を以下図面に基づいて詳述する。
【００２６】
図面は、ミシンの一例である家庭用ミシンにより丸紐を縫製する際に、テープ状の被縫製物を筒状に折返しガイドする被縫製物折曲げガイドを示し、図１に於いて、この被縫製物折曲げガイド１は、家庭用ミシンＡの押え棒Ａａ下端に固定される取付け部２と、取付け部２の下端部に固定され、家庭用ミシンＡの送り方向と直交する左右方向に対して水平移動自在に設けた板状の支持部３と、支持部３の前端部に固定され、テープ状の被縫製物Ｂを幅方向に対して所定の折曲げ形状に矯正する折曲げ部４とで構成される。
【００２７】
上記取付け部２は、家庭用ミシンＡの押え棒Ａａ下端が下方に向けて垂直に挿入される受け部２ａを取付け部２前端に設け、後述する支持部３後端の水平部３ａが固定される固定部２ｂを取付け部２後端に設けている。
【００２８】
取付け部２を押え棒Ａａ下端に固定する場合、押え棒Ａａ下端を取付け部２の受け部２ａに対して上方又は側方から挿入した後、ネジ部材２Ａを、受け部２ａに挿入した押え棒Ａａ下端に真横方向から螺着して固定する。
【００２９】
また、ネジ部材２Ｂが上下方向に向けて垂直に挿入されるガイド孔２ｃを、支持部３の水平部３ａが対接される固定部２ｂの下面側中央部に形成している。ガイド孔２ｃは、水平部３ａに形成したネジ孔３ｃと対向して上下方向に貫通して形成され、家庭用ミシンＡの送り方向と直交する左右方向に対して取付け部２及び支持部３の水平移動が任意距離許容される長さに形成している。
【００３０】
取付け部２の固定部２ｂと支持部３の水平部３ａを固定する場合、固定部２ｂの下部対接面と水平部３ａの上部対接面を面待遇で対接し、取付け部２のガイド孔２ｃと支持部３のネジ孔３ｃを連通した後、ネジ部材２Ｂを、固定部２ｂのガイド孔２ｃを介して、水平部３ａのネジ孔３ｃに螺着することで、取付け部２と支持部３を、家庭用ミシンＡの送り方向と直交する左右方向に対して水平移動自在に固定する。なお、ガイド孔２ｃを支持部３の水平部３ａに設け、ネジ孔３ｃを取付け部２の固定部２ｂに設けてもよい。
【００３１】
また、固定部２ｂの下部対接面と水平部３ａの上部対接面に、互いに係合する凸部２ｄと凹部３ｄを支持部３の移動方向（又は家庭用ミシンＡの送り方向）と直交する方向に向けて連続して設けている。固定部２ｂと水平部３ａを固定する際に、凸部２ｄと凹部３ｄを互いに係合して、取付け部２及び支持部３の相対移動を、支持部３の移動方向（又は家庭用ミシンＡの送り方向）と直交する左右方向のみにガイドし、直交する方向以外の方向及び角度に変位しようとするのを阻止する。
【００３２】
なお、凹部を取付け部２の固定部２ｂに設け、凸部を支持部３の水平部３ａに設けてもよい。また、凸部２ｄ及び凹部３ｄの代わりに、例えば突起と溝部、アリとアリ溝等の他の構造を用いてもよい。
【００３３】
前記支持部３は、上記取付け部２の固定部２ｂが固定される水平部３ａを、支持部３の後端部を水平方向に向けて略直角に折曲げて形成し、ネジ部材２Ｂが螺着されるネジ孔３ｃを固定部２ｂが対接される水平部３ａの上面側中央部に形成している。後述する折曲げ部４が固定される垂直部３ｂを、支持部３の前端部を家庭用ミシンＡの送り方向と平行して前方に向けて任意長さに延出形成している。また、垂直部３ｂを、家庭用ミシンＡの送り方向と平行する方向に対して任意長さに伸縮自在に設けてもよい。
【００３４】
前記折曲げ部４は、テープ状の被縫製物Ｂを家庭用ミシンＡの送り方向に対して徐々に幅狭となる状態に矯正し、被縫製物Ｂの両側縁部を送り方向に沿って互いに重ね合わされる方向に折曲げ矯正する矯正開始部４ａと、
矯正開始部４ａから繰り出される被縫製物Ｂを幅方向に対して二つ折り状態に折曲げながら、該被縫製物Ｂの両側縁部を送り方向に沿って互いに重ね合わせた状態に折曲げ矯正する外側矯正部４ｂと、
被縫製物Ｂの送り込みが許容される間隔に隔てて外側矯正部４ｂ内部に設けられ、外側矯正部４ｂの後端側開口部から繰り出される筒状の被縫製物Ｂ又は丸紐Ｃを縫い目が裏側となるように表裏反転して挿入する内側矯正部４ｃとで構成される。
【００３５】
また、矯正開始部４ａの前端部に、テープ状の被縫製物Ｂが扁平状態のまま挿入許容される入口部４ａ１を設け、矯正開始部４ａの後端部に、被縫製物Ｂの両側縁部を送り方向に沿って互いに重ね合わされる状態に折曲げ矯正したまま繰り出しする出口部４ａ２を設けるとともに、入口部４ａ１と出口部４ａ２を、送り方向に対して徐々に幅狭となる形状に形成され、被縫製物Ｂの両側縁部が送り方向に沿って互いに重ね合わされる方向に折曲げ矯正される形状に形成した折曲げ通路で連通している。
【００３６】
また、外側矯正部４ｂの後端側上下両面に、該外側矯正部４ｂにより被縫製物Ｂの両側縁部を互いに重ね合わせた状態に折曲げ矯正してなる縫着部分と対向して、家庭用ミシンＡのミシン針Ａｂが上下方向に挿通許容される針孔４ｂＡを設けている。
【００３７】
また、外側矯正部４ｂの一側内周面と内側矯正部４ｃの一側外周面との間に、矯正開始部４ａから繰り出される被縫製物Ｂの両側縁部を略均等に重ね合わせた状態にガイドする平板部４ｄを送り方向と平行して設けるとともに、平板部４ｄの一側端部を外側矯正部４ｂの一側外周面よりも外側に所定長さ突出している。
【００３８】
図示実施例は上記の如く構成するものにして、以下、家庭用ミシンＡにより丸紐Ｃを縫製する際に、テープ状の被縫製物Ｂを被縫製物折曲げガイド１により折返しガイドする方法を説明する。
【００３９】
先ず、図１、図４に示すように、被縫製物折曲げガイド１の取付け部２を家庭用ミシンＡの押え棒Ａａ下端に固定し、折曲げ部４を送り方向に対して逆向きとなる前向き状態に固定する。
【００４０】
次に、図２、図３に示すように、取付け部２の固定部２ｂと支持部３の水平部３ａを固定するネジ部材２Ｂの固定を解除するか、締付け力を緩める等して、支持部３及び折曲げ部４の全体を、取付け部２の固定部２ｂに形成したガイド孔２ｃに沿って、家庭用ミシンＡの送り方向と直交する左右方向へ水平移動させるとともに、固定部２ｂ及び水平部３ａに形成した凸部２ｄと凹部３ｄの係合により、取付け部２及び支持部３の相対移動を家庭用ミシンＡの送り方向と直交する左右方向のみにガイドする。
【００４１】
折曲げ部４の外側矯正部４ｂに設けた針孔４ｂＡを、家庭用ミシンＡのミシン針Ａｂが挿通許容される直下及び針板Ａｃの針孔Ａｄと連通する針落ち位置に可変調節した後、取付け部２の固定部２ｂと支持部３の水平部３ａをネジ部材２Ｂにより水平移動不可に締付け固定する。
【００４２】
次に、テープホルダ等に保持されたテープ状の被縫製物Ｂを、折曲げ部４の矯正開始部４ａに対して入口部４ａ１から挿入するとともに、折曲げ通路に沿って入口部４ａ１から出口部４ａ２に移送する間に、被縫製物Ｂを送り方向に対して徐々に幅狭となる状態に矯正しながら、被縫製物Ｂの両側縁部を送り方向に沿って互いに重ね合わされる方向に折曲げ矯正する。
【００４３】
矯正開始部４ａの出口部４ａ２から繰り出される被縫製物Ｂを折曲げ矯正したまま外側矯正部４ｂと内側矯正部４ｃの対向面間に対して送り込みガイドし、外側矯正部４ｂにより被縫製物Ｂを幅方向に対して二つ折り状態に折曲げながら、被縫製物Ｂの両側縁部を送り方向に沿って互いに重ね合わせた状態に折曲げ矯正する。
【００４４】
被縫製物Ｂの両側縁部を互いに重ね合わせてなる縫着部分を、外側矯正部４ｂの針孔４ｂＡと対向する針落ち位置に送り込みながら、家庭用ミシンＡのミシン針Ａｂを、外側矯正部４ｂの針孔４ｂＡに送り込まれる被縫製物Ｂの縫着部分に上方から垂直に挿通して、被縫製物Ｂの縫着部分を送り方向に沿って連続的に縫着し、縫い目が表側となる筒状の丸紐Ｃを縫製する。
【００４５】
外側矯正部４ｂの後端側開口部から繰り出される筒状の丸紐Ｃを、縫い目が裏側となるように表裏反転しながら内側矯正部４ｃ内に後端側開口部から送り込み、筒状に縫着された丸紐Ｃを内側矯正部４ｃの前端側開口部から送り方向に対して逆向きに繰り出して、筒状の丸紐Ｃを連続して縫製する。
【００４６】
また、テープ状の被縫製物Ｂを筒状に縫返しする際に、単数又は複数の糸からなる芯Ｄを、筒状に縫返しされる丸紐Ｃの中空部に挿入しながら縫製してもよい。
【００４７】
以上のように、家庭用ミシンＡの押え棒Ａａ下端に取り付けた折曲げ部４を、家庭用ミシンＡの送り方向と直交する方向に対して水平移動させ、折曲げ部４の針孔４ｂＡを、ミシン針Ａｂ直下及び針板Ａｃの針孔Ａｄと連通する針落ち位置に可変調節するので、一つの被縫製物折曲げガイド１を、様々なメーカー及び機種の家庭用ミシンＡによりテープ状の被縫製物Ｂを所定の折曲げ形状を有する筒状の丸紐Ｃに縫返し縫製する作業に用いることができる。
【００４８】
また、被縫製物折曲げガイド１を、様々なメーカー及び機種のミシンに共通して用いることができるので、各ミシン毎に製作する必要がなく、製作コストの低減を図ることができる。且つ、縫製作業に使用する部品数が少なくなり、部品の管理及び取り扱いが容易に行える。
【００４９】
図５は、取付け部２の固定部２ｂと支持部３の水平部３ａを一対の各マグネット５，５により吸着固定する被縫製物折曲げガイド１の他の例を示し、取付け部２の固定部２ｂと支持部３の水平部３ａのいずれか一方の対接部分にマグネット５を装着し、他方の対接部分をマグネット５が吸着固定される金属部材で構成するとともに、マグネット５の吸着力を、家庭用ミシンＡの送り方向と直交する方向への水平移動調節が許容され、家庭用ミシンＡの縫製動作時に付与される応力によって吸着位置が変位するのを防止するのに適した吸着力に設定している。
【００５０】
つまり、マグネット５の吸着力に抗して、固定部２ｂ及び水平部３ａを相互の対接面に沿って家庭用ミシンＡの送り方向と直交する左右方向へ摺動変位させ、支持部３及び折曲げ部４の全体を家庭用ミシンＡの送り方向と直交する方向へ水平移動させ、折曲げ部４の外側矯正部４ｂに設けた針孔４ｂＡを、家庭用ミシンＡのミシン針Ａｂ直下及び針板Ａｃの針孔Ａｄと連通する針落ち位置に可変調節して、取付け部２と支持部３をマグネット５の吸着力により水平移動不可に固定するので、例えばネジやボルト等の部材により強固に締付け固定するような手間及び作業が省ける。また、固定部２ｂ及び水平部３ａの対接部分に、互いに吸着固定される一対の各マグネット５，５を装着してもよい。
【００５１】
この発明の構成と、上述の実施例との対応において、  
この発明のマグネット手段は、実施例のマグネット５に対応するも、  
この発明は、上述の実施例の構成のみに限定されるものではなく、請求項に示される技術思想に基づいて応用することができ、多くの実施の形態を得ることができる。
【００５２】
例えば、図６に示すように、取付け部２のガイド孔２ｃと、固定部２ｂの凸部２ｄと、水平部３ａの凹部３ｄとを、家庭用ミシンＡの送り方向と平行する方向に設けて、支持部３及び折曲げ部４を、家庭用ミシンＡの送り方向と平行する前後方向に対して前後移動自在に設けてもよい。
【００５３】
また、支持部３及び折曲げ部４を、取付け部２を中心として送り方向と交差する水平回転方向に対して任意角度に水平回動自在に設ける等してもよい。また、支持部３及び折曲げ部４を、左右方向及び前後方向の両方向に対して水平移動自在に設けることもできる。
【産業上の利用可能性】
【００５４】
本発明の被縫製物折曲げガイドは、例えば家庭用ミシンの縫製速度と同程度の速度に可変調節することができる工業用ミシンにも利用することができる。
【図面の簡単な説明】
【００５５】
【図１】被縫製物折曲げガイドの全体を示す斜視図。
【図２】被縫製物折曲げガイドの針孔調節動作を示す平面図。
【図３】取付け部と支持部をネジ部材で螺着固定した構造を示す背面図。
【図４】被縫製物折曲げガイドの使用状態を示す側面図。
【図５】取付け部と支持部をマグネットで吸着固定した他の例を示す背面図。
【図６】取付け部と支持部を前後移動自在に設けたその他の例を示す側面図。
【符号の説明】
【００５６】
Ａ…家庭用ミシン
Ａａ…押え棒
Ａｂ…ミシン針
Ａｃ…針板
Ａｄ…針孔
Ｂ…被縫製物
Ｃ…丸紐
１…被縫製物折曲げガイド
２…取付け部
２ｃ…ガイド孔
２ｄ…凸部
３…支持部
３ｃ…ネジ孔
３ｄ…凹部
４…折曲げ部
４ａ…矯正開始部
４ｂ…外側矯正部
４ｂＡ…針孔
４ｃ…内側矯正部
５…マグネット
【図１】
2007209389.tif 000003
【図２】
2007209389.tif 000004
【図３】
2007209389.tif 000005
【図４】
2007209389.tif 000006
【図５】
2007209389.tif 000007
【図６】
2007209389.tif 000008